(57)【特許請求の範囲】
【請求項１】
（ａ）ビグアニドの塩、置換ビグアニド、第四級アンモニウム含有化合物の有機塩または第四級アンモニウム含有化合物の無機塩からなる群から選択される、０．５ｗｔ％〜２０ｗｔ％のカチオン性活性成分と、
（ｂ）式：
【化１】
0005932802.tif 000022
（式中、Ｒは、６個〜１２個の炭素原子を有するアルキル基であり、ｎは４〜６の整数である。）のポリ四級アルキルポリグルコシドである、０．２ｗｔ％〜５０ｗｔ％の四級化された糖系の界面活性剤と、
（ｃ）水またはアルコールと、
（ｄ）１８ｗｔ％までの量の起泡力増進界面活性剤であって、該起泡力増進界面活性剤が非イオン性界面活性剤、カチオン性界面活性剤、両性界面活性剤およびそれらの組み合わせからなる群から選択され、該両性界面活性剤がイミダゾリン類、イセチオネート及びそれらの組み合わせからなる群から選択される、起泡力増進界面活性剤と、
を含み、
カチオン性活性成分：四級化された糖系の界面活性剤：起泡力増進界面活性剤の相対的質量比が、１：０．２：０．２〜１：３：８であり、
該組成物にはアニオン性界面活性剤がなく、
該組成物には、トリクロサン（２、４、４’’−トリクロロ−２’’−ヒドロキシ−ジフェニルエーテル）がなく、
該組成物が、７．０〜１２．０のｐＨ範囲を有する、
抗菌性硬表面クリーナー組成物。
【請求項２】
該組成物が、２ｗｔ％〜１８ｗｔ％のカチオン性活性成分を含む、請求項１に記載の組成物。
【請求項３】
該組成物が、５０ｐｐｍ〜５、０００ｐｐｍのカチオン性活性成分を含む、請求項１に記載の組成物。
【請求項４】
該組成物が、０．５ｗｔ％〜１２ｗｔ％の四級化された糖系の界面活性剤を含む、請求項１に記載の組成物。
【請求項５】
該組成物が、５０ｐｐｍ〜２、５００ｐｐｍの四級化された糖系の界面活性剤を含む、請求項１に記載の組成物。
【請求項６】
該組成物が、９ｗｔ％までの起泡力増進界面活性剤を含む、請求項１に記載の組成物。
【請求項７】
該組成物が、３、５００ｐｐｍまでの起泡力増進界面活性剤を含む、請求項１に記載の組成物。
【請求項８】
該非イオン性界面活性剤が、アルキルアミンオキシド、アルキルエーテルアミンオキシド、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステルを含む、請求項１に記載の組成物。
【発明の詳細な説明】
【技術分野】
【０００１】
本発明は、改善された抗菌効果と高い起泡力特性を有する、硬表面用組成物のような抗菌性組成物に関する。さらに詳しくは、本発明は、カチオン性活性成分と、ポリ四級官能化アルキルポリグルコシドまたは四級官能化アルキルポリグルコシドとの抗菌効果を示し、そして非常に広い幅の抗菌効果、高い起泡力および哺乳動物組織に対する減少した刺激という任意の性質を有する、抗菌性組成物に関する。
【背景技術】
【０００２】
抗菌性パーソナルケア組成物は、当該分野において知られている。特に有用なものは抗菌性クリーニング組成物であり、これは典型的には、硬表面をクリーニングするためおよび表面上に存在する細菌および他の微生物を死滅させるために使用される。
【０００３】
抗菌性組成物は、例えば、ヘルスケア業界；長期療養施設、サービス施設および保健／運動施設；外食産業；食肉加工業において；および個々の消費者により民間において使用される。抗菌性組成物の広範な使用は、消費者が皮膚上の細菌の個体数および他の微生物の個体数を制御することを重視していることを示す。しかし、抗菌性個体数は、迅速に、かつ毒性および皮膚刺激に関係する問題なしに、微生物の個体数の実質的でかつ広範囲の減少を提供することが重要である。
【０００４】
硬表面用抗菌性組成物には、幾つかの異なる種類の抗菌剤が使用されてきた。これらは、以下の種類から選択される活性成分を含む：フェノール系化合物、カルバナリド（ｃａｒｂａｎａｌｉｄｅ）化合物、低級アルコール、界面活性剤および酸化剤；ハロゲンなど。これらの種類のそれぞれは、それら独自の利点および課題を有する。特定の抗菌剤の例は、トリクロカルバン（Ｔｒｉｃｌｏｃａｒｂａｎ）、第四級アンモニウム化合物（ＱＡＣ）、ヨウ素及びヨウ素複合体、ハロゲン、フェノール誘導体のｏ−ベンジルフェノール、ペルオキシドおよびペルオキシ化合物、およびビグアニドを含む。
【０００５】
高い起泡力の殺菌性組成物／抗菌性組成物は、一般人での使用、及び表面を処理し任意に続いて水ですすぐことを謳っている公衆衛生分野における使用に特定の用途を有する。顕著な起泡力プロフィールを提供するのに充分な量の高起泡力界面活性剤は、しばしば第四級アンモニウム化合物を不活化することがある。本発明は、抗菌活性に対する有害な性質を示すことなく、高起泡力系の調合が可能な独自の組合せを提供する。これは、浴室およびシャワーのクリーニングと殺菌等の製品において、または高起泡力系が好ましい製品において、特に有用である。
【０００６】
この抗菌性組成物は、本発明の態様により検討され、そして以下の明細書を読みかつ研究することにより理解されよう。以下の概要は、例示目的であり限定目的ではない。これは単に、読者が本発明の態様の幾つかを理解する際に助けとなるように提供される。
【発明の概要】
【０００７】
本発明の要約は、読者を本発明の種々の例示的態様に導入するように意図されている。本発明の特定の態様は、以下の本明細書の他のセクションに示され、そして本発明は、その範囲を単独で定める添付の請求の範囲に明記される。
【０００８】
本発明の例示的態様により、迅速な効果および高い起泡力特性を示す抗菌性組成物が提供される。この抗菌性組成物は、カチオン性活性成分と、四級化された糖から誘導された界面活性剤と、非イオン性界面活性剤、両性界面活性剤、カチオン性界面活性剤、アニオン性界面活性剤を包含してもよい起泡力増進界面活性剤と、水または他の好適な希釈剤とを含む。
【０００９】
したがって本発明の１つの態様は、抗菌性硬表面用組成物であって、（ａ）約０．５ｗｔ％〜約２０ｗｔ％のカチオン性活性剤と；（ｂ）約０．２ｗｔ％〜約５０ｗｔ％の四級化された糖から誘導された界面活性剤と；（ｃ）約０．２ｗｔ％〜約１８ｗｔ％の任意の起泡力増進界面活性剤と；（ｄ）任意の補助剤と；（ｅ）水または他の好適な希釈剤とを含む、希釈できる濃縮抗菌性組成物を提供することである。
【００１０】
本発明の別の態様は、抗菌性硬表面用組成物であって、この使用溶液抗菌性組成物が、（ａ）質量で約５０ｐｐｍ〜約５０００ｐｐｍのカチオン性活性剤と；（ｂ）質量で約５０ｐｐｍ〜約２５００ｐｐｍの四級化された糖から誘導された界面活性剤と；（ｃ）質量で約５０ｐｐｍ〜約１０、０００ｐｐｍの任意の起泡力増進界面活性剤と；（ｄ）任意の補助剤と；（ｅ）水または他の好適な希釈剤とを含む、組成物を提供することである。
【００１１】
さらに、本発明の１つの態様は、硬表面用抗菌性組成物であって、約１：０．２：０．２〜約１：３：８のカチオン性活性剤：四級化された糖界面活性剤：起泡力増進界面活性剤の相対的質量比を有する、組成物を提供することである。
【００１２】
本発明の別の態様は、本発明の抗菌性組成物に基づく硬表面消毒製品、例えば、高起泡力硬表面消毒クリーナー、高起泡力硬表面殺菌クリーナー、タブおよびタイルクリーナーなどを提供することである。
【００１３】
本発明のさらなる態様は、硬表面上のグラム陽性菌の個体数および／またはグラム陰性菌の個体数、ウイルスの個体数および真菌の個体数を含む、微生物の個体数を減少させる方法であって、硬表面と本発明の組成物とを約３０秒間〜１０分間等の充分な時間接触させることにより、細菌のレベルを所望のレベルに減少させることによる方法を提供することである。
【００１４】
複数の態様が開示されるが、本発明の例示的態様を示して説明する以下の詳細な説明から、本発明のさらに別の態様が当業者には明らかとなろう。したがって、この詳細な説明は、事実上例示と見なすべきであり、限定と見なすべきでない。
【図面の簡単な説明】
【００１５】
【図１】図１は、代表的界面活性剤系における３種の異なるカチオン性活性成分、具体的には、０．５％のＱｕａｔ（塩化ベンザルコニウム）、２％のＣＨＧ（グルコン酸クロルヘキシジン）、および１％のＰＨＭＢ（ポリヘキサメチレンビグアニド）の３０秒間の曝露後の効果を示す。
【００１６】
【図２】図２は、第四級糖から誘導された界面活性剤、具体的には、ポリ（トリモニウムヒドロキシプロピルココグルコシドクロリド）の濃度の増大に伴う黄色ブドウ球菌（Ｓ．ａｕｒｅｕｓ）および大腸菌（Ｅ．ｃｏｌｉ）に対する効果を示す。カチオン性活性成分（０．５％のＡＤＢＡＣ  Ｑｕａｔ）および起泡力増進界面活性剤（１．９５％のアルキルジメチルアミンオキシド）の量およびタイプは、一定に保持された。
【００１７】
【図３】図３は、起泡力増進界面活性剤、具体的には、アミンオキシドの濃度の増大に伴う効果を示す。カチオン性活性成分（０．５％のＡＤＢＡＣ  Ｑｕａｔ）および第四級糖から誘導された界面活性剤（１．２５％のポリトリモニウムヒドロキシプロピルココグルコシドクロリド）の量およびタイプは、一定に保持された。
【００１８】
【図４】図４は、本発明の硬表面用中性殺菌性組成物に関する比較泡体積を示す。
【００１９】
【図５】図５は、本発明の硬表面タブおよびタイル殺菌性組成物に関する比較泡体積を示す。
【００２０】
【図６】図６は、重要な生物に対する殺菌剤としての、本発明のカチオン性活性剤および四級化された糖から誘導された界面活性剤を含有する硬表面用化学剤の抗菌性効果を示す。
【００２１】
【図７】図７は、四級化された糖から誘導された界面活性剤が、カチオン性活性成分と組合されて使用される場合の、中性殺菌剤の改善された皮膚適合性を示す。
【００２２】
【図８】図８は、四級化された糖から誘導された界面活性剤が、カチオン性活性成分と組合せて使用される場合の、タブおよびタイル殺菌剤の改善された皮膚適合性を示す。
【発明を実施するための形態】
【００２３】
操作実施例以外は、または特に別の指定がなければ、本明細書において使用される成分または反応条件の量を表す全ての数は、「約」という用語により全ての場合に修飾されているものと理解すべきである。
【００２４】
本明細書において使用される場合、質量パーセント（ｗｔ−％）、質量によるパーセント、質量による％などは、組成物の総質量で割られて、１００を乗じられたその物質の質量としてのある物質の濃度をいう同義語である。
【００２５】
本明細書において使用される場合、本発明の組成物中の成分の量または本発明の方法において使用される量を修飾する「約」という用語は、例えば、現実世界で濃縮液または使用溶液を製造するために使用される、典型的な測定及び液体の取扱手順により；これらの手順における不注意な誤りにより；組成物を製造するためまたは方法を実施するために使用される成分の製造、供給源、または純度の差などにより起こりうる数量の変動をいう。約という用語はまた、特定の初期混合物から生じる組成物の異なる平衡条件に起因して異なる量を包含する。「約」という用語により修飾されていてもいなくとも、本請求の範囲は、その量と同等物を含む。
【００２６】
本明細書において使用される場合、「カチオン性活性成分」という用語は、抗菌性の殺菌力を提供する化合物をいう。
【００２７】
「アルキル」という用語は、特定数の炭素原子を有する直鎖または分岐鎖の一価炭化水素基をいう。本明細書において使用される場合、「アルキル」は、直鎖または分岐鎖の置換または非置換のＣ６−Ｃ１８炭素鎖をいう。
【００２８】
「微生物」または「微生物個体数」という用語は、細菌、真菌、酵母、もしくはウイルス個体数またはこれらの組合せ、または実験室もしくは自然環境におけるこれらの任意の混合物をいう。
【００２９】
「界面活性剤」または「表面活性剤」という用語は、その液体の性質を表面または界面で変化させる有機化学品をいう。
【００３０】
「クリーニング」は、汚れ除去、漂白、微生物個体数減少、すすぎ、またはこれらの組合せを実施するかまたはその助けになることをいう。
【００３１】
本明細書において使用される場合、「実質的に含まない」という用語は、その成分を完全に欠いているか、またはその成分が組成物の効果に影響を及ぼさないような少量の成分を有する組成物をいう。その成分は、不純物としてまたは混入物質として存在してもよく、そして０．５ｗｔ％未満であろう。別の態様において、その成分の量は、０．１ｗｔ％未満であり、そしてさらに別の態様において、成分の量は、０．０１ｗｔ％未満である。
【００３２】
本明細書において使用される場合、「硬表面」という用語は、シャワー、シンク、トイレ、浴槽、調理台、窓、鏡、運搬用車両、床などを含む、任意の環境の表面または構造の表面を含む。これらの表面は、「硬表面」の典型とされるものであってよい（壁、床、おまるほか等）。
【００３３】
本明細書において使用される場合、「希釈できる濃縮液」という用語は、水または他の好適な希釈剤が加えられることができる溶液をいう；この溶液は、希釈できる濃縮液の形態で、水または他の好適な希釈剤を実質的に含んでも含まなくともよい。
【００３４】
本明細書において使用される場合、「使用溶液」という用語は、使用を目的とする濃度で存在する成分を含む組成物をいう。使用溶液は、事前の希釈を必要としない「すぐに使える」ものとして提供されても、または希釈できる濃縮液から作られてもよい。
【００３５】
注意すべきは、本明細書および添付の請求の範囲において使用される場合、内容に特に明記されない限り、単数形の「ａ」、「ａｎ」、および「ｔｈｅ」が、複数形の指示対象を含むことである。よって、例えば、「ある化合物（ａ  ｃｏｍｐｏｕｎｄ）」を含有する組成物への言及は、２種以上の化合物の混合物を含む。また注意すべきは、内容に特に明記されない限り、「または」という用語が、一般に「および／または」を含む意味で使用されることである。
【００３６】
「活性剤」または「パーセント活性剤」または「質量パーセント活性剤」または「活性剤濃度」という用語は、本明細書において互換的に使用され、そして水または塩等の不活性成分を差し引いて百分率として表されるクリーニングに関係するこれらの成分の濃度をいう。
カチオン性活性化合物および四級化された糖から誘導された界面活性剤を含有する抗菌性組成物
【００３７】
本発明は、迅速な効果および高い起泡力特性を示す抗菌性組成物に関する。この抗菌性組成物は、カチオン性活性成分と、四級化された糖から誘導された界面活性剤と、非イオン性界面活性剤、両性界面活性剤、選択されるアニオン性界面活性剤、またはカチオン性界面活性剤を包含してもよい起泡力増進界面活性剤と、水または他の好適な希釈剤とを含む。
【００３８】
１つの態様において、抗菌性の硬表面用の希釈できる濃縮組成物は、（ａ）約０．５ｗｔ％〜約２０ｗｔ％のカチオン性活性剤と；（ｂ）約０．２ｗｔ％〜約５０ｗｔ％の四級化された糖から誘導された界面活性剤と；（ｃ）約０．２ｗｔ％〜約１８ｗｔ％の任意の起泡力増進界面活性剤と；（ｄ）任意の補助剤と；（ｅ）水または他の好適な希釈剤とを含む。カチオン性活性成分：四級化された糖界面活性剤：起泡力増進界面活性剤の相対的質量比は、約１：０．２：０．２〜約１：３：８である。
【００３９】
さらなる態様において、硬表面用抗菌性使用溶液組成物は、（ａ）約５０ｐｐｍ〜約５０００ｐｐｍのカチオン性活性剤と；（ｂ）約５０ｐｐｍ〜約２５００ｐｐｍの四級化された糖から誘導された界面活性剤と；（ｃ）約５０ｐｐｍ〜約１０、０００ｐｐｍの任意の起泡力増進界面活性剤と；（ｄ）任意の補助剤と；（ｅ）水または他の好適な希釈剤とを含む。
【００４０】
本発明の別の態様は、安定で、かつ約７．０〜約１２．０のｐＨを有する抗菌性硬表面用組成物を提供することである。本組成物は、場合により、大量の泡および泡安定性等の追加的性質を示してもよく、そして減少した組織刺激可能性を示してもよい。
【００４１】
本発明の別の態様は、本発明の抗菌性組成物に基づく硬表面消毒製品、例えば、高起泡力硬表面消毒クリーナー、高起泡力硬表面殺菌クリーナー、タブおよびタイルクリーナーなどを提供することである。
【００４２】
以下は、本発明の限定されない態様を具体的に記載する。
Ａ．カチオン性活性剤
【００４３】
カチオン性活性剤は、本発明の硬表面上の微生物個体数を減少させるために、組成物の約０．５ｗｔ％〜約２０ｗｔ％、好ましくは約２ｗｔ％〜約１８ｗｔ％の量で、抗菌性濃縮組成物中に存在する。
【００４４】
さらに、カチオン性活性剤は、本発明の硬表面上の微生物個体数を減少させるために、約５０ｐｐｍ〜約５０００ｐｐｍ、好ましくは約１００ｐｐｍ〜約２５００ｐｐｍの量で、抗菌性使用溶液組成物中に存在する。
【００４５】
組成物中の抗菌剤の量は、組成物の最終用途、組成物中の四級化された糖から誘導された界面活性剤と起泡力増進界面活性剤の量、および組成物中の任意の成分の存在に関連する。抗菌剤の量は、短い接触時間、例えば、１５〜３０秒間で微生物の死滅を達成するのに充分な量である。
【００４６】
カチオン性活性成分は、本発明に有用な抗菌剤である。カチオン性成分またはカチオン性活性成分は、正味の正電荷を持つ窒素を中心としたカチオン残基に基づく物質である。カチオン性成分またはカチオン性活性成分は、好ましくはカチオン性ポリマー、カチオン性界面活性剤、カチオン性モノマー、および少なくとも１個のカチオン性またはカチオン性活性基を持つベタインからなる群から選択される。
【００４７】
好適なカチオン性活性成分は、第四級アンモニウム基を含有する。好適なカチオン性活性成分は、特に一般式：
Ｎ（＋）Ｒ１Ｒ２Ｒ３Ｒ４Ｘ（−）
［式中、Ｒ１、Ｒ２、Ｒ３およびＲ４は、相互に独立して、アルキル基、脂肪族基、芳香族基、アルコキシ基、アルキルアミド基、ヒドロキシアルキル基、アリール基、Ｈ＋イオン（それぞれ１〜２２個の炭素原子を持つ）を表すが、ただし、Ｒ１、Ｒ２、Ｒ３およびＲ４基の少なくとも１つは、少なくとも８個の炭素原子を有しており、そしてＸ（−）は、アニオン、例えば、ハロゲン、アセテート、ホスフェート、ナイトレートまたはアルキル硫酸塩、好ましくはクロリドを表す］のものを含む。脂肪族基は、架橋基または他の基を含有してもよく、例えば炭素や水素原子以外に追加のアミノ基を含有してもよい。
【００４８】
カチオン性活性成分は、特に限定されないが、ｎ−アルキルジメチルベンジルアンモニウムクロリド、アルキルジメチルエチルベンジルアンモニウムクロリド、ジデシルジメチルアンモニウムクロリド等のジアルキルジメチル第四級アンモニウム化合物、ジオクチルジデシルアンモニウムクロリド、また、塩化ベンゼトニウム等の第四級種、およびジアルキルジメチルアンモニウム炭酸塩を含む、臭素、炭酸または他の残基等の無機または有機対イオンを持つ第四級アンモニウム化合物、さらにはＮ，Ｎ−ビス（３−アミノプロピル）ドデシルアミン等の抗菌性アミン、他のアルキルアミン、グルコン酸クロルヘキシジン、ＰＨＭＢ（ポリヘキサメチレンビグアニド）、ビグアニドの塩、置換ビグアニド誘導体、第四級アンモニウム含有化合物の有機塩または第四級アンモニウム含有化合物の無機塩またはこれらの混合物を含んでよい。
Ｂ．四級化された糖から誘導された界面活性剤
【００４９】
さらに、本発明の抗菌性硬表面用組成物は、四級化された糖から誘導された界面活性剤を、希釈できる濃縮組成物の約０．２％〜約５０％、好ましくは約０．５〜約１２％の量で含有する。
【００５０】
その上に、本発明の抗菌性硬表面用組成物は、四級化された糖から誘導された界面活性剤を、使用溶液組成物の約５０ｐｐｍ〜約２５００ｐｐｍ、好ましくは約５０ｐｐｍ〜約５００ｐｐｍの量で含有する。
【００５１】
組成物中に存在する四級化された糖から誘導された界面活性剤の量は、組成物中のカチオン性活性剤の量に、四級化された糖から誘導された界面活性剤の特性、および組成物の最終用途に関連する。
【００５２】
四級化された糖から誘導された界面活性剤は、四級化アルキルポリグルコシドまたはポリ四級化アルキルポリグルコシドなどである。
【００５３】
１つの態様において、本発明の抗菌性組成物は、ポリ四級官能化アルキルポリグルコシド、カチオン性活性成分、水または他の好適な希釈剤、および任意の起泡力増進界面活性剤を含む。ポリ四級官能化アルキルポリグルコシドは、アルキルポリグルコシドから自然に誘導されたカチオン性界面活性剤であり、そして糖基本骨格を有する。ポリ四級アルキルポリグルコシドは、以下の代表的な式を有する：
【化１】
0005932802.tif 000002
式中、Ｒは、約６〜約１２個の炭素原子を有するアルキル基であり、そしてｎは、４〜６の範囲の整数である。本発明のクリーニング組成物に使用することができる好適なポリ四級官能化アルキルポリグルコシド成分の例は、アルキル残基Ｒが、約８〜約１２個の炭素原子を含有するものを含む。好ましい態様において、この四級官能化アルキルポリグルコシドは、主として約１０〜１２個の炭素原子を含有する。本発明のクリーニング組成物において有用な市販の好適なポリ四級官能化アルキルポリグルコシドの例は、特に限定されないが、テネシー州、サウスピッツバーグに位置するＣｏｌｏｎｉａｌ  Ｃｈｅｍｉｃａｌ，  Ｉｎｃ．から入手できる四級官能化アルキルポリグルコシドのＰｏｌｙ  Ｓｕｇａ（商標）  Ｑｕａｔシリーズを含む。
【００５４】
別の態様において、本発明の抗菌性組成物は、四級官能化アルキルポリグルコシド、カチオン性活性成分、水または他の好適な希釈剤、および任意の起泡力増進界面活性剤を含む。この四級官能化アルコキシポリグルコシドは、アルキルポリグルコシドから自然に誘導されたカチオン性界面活性剤であり、そして糖基本骨格を有する。四級官能化アルキルポリグルコシドは、以下の代表的な式を有する：
【化２】
0005932802.tif 000003
【００５５】
式中、Ｒ１は、約６〜約２２個の炭素原子を有するアルキル基であり、そしてＲ２は、ＣＨ３（ＣＨ２）ｎ’（式中、ｎ’は、０〜２１の範囲の整数である）である。本発明のクリーニング組成物に使用することができる好適な四級官能化アルキルポリグルコシド化合物の例は、アルキル残基Ｒ１が、主として約１０〜１２個の炭素原子を含有し、Ｒ２基が、ＣＨ３であり、そしてｎが、１〜２の重合度であるものを含む。好適な四級官能化アルキルポリグルコシドのさらなる例は、特に限定されないが、米国特許第７，０８４，１２９号明細書および７，５０７，３９９号明細書（これらの開示は、引用により本明細書に取り込まれる）に記載された抗菌性および抗真菌性の四級官能化アルキルポリグルコシドを含む。本発明のクリーニング組成物において有用な市販の好適な四級官能化アルキルポリグルコシドの例は、特に限定されないが、テネシー州、サウスピッツバーグに位置するＣｏｌｏｎｉａｌ  Ｃｈｅｍｉｃａｌ，  Ｉｎｃ．から入手できる、Ｓｕｇａ（商標）  Ｑｕａｔ  ＴＭ１２１２（主としてＣ１２四級官能化アルキルポリグルコシド）、Ｓｕｇａ（商標）  Ｑｕａｔ  Ｌ１２１０（主としてＣ１２四級官能化アルキルポリグルコシド）、およびＳｕｇａ（商標）  Ｑｕａｔ  Ｓ１２１８（主としてＣ１２四級官能化アルキルポリグルコシド）を含む。
Ｃ．起泡力増進補助界面活性剤
【００５６】
さらに、本発明の抗菌性硬表面用組成物は、場合により起泡力増進界面活性剤を、組成物の約０％〜約１８％、好ましくは約０％〜約９％の量で含有することができる。
【００５７】
その上に、本発明の抗菌性硬表面用組成物は、場合により起泡力増進界面活性剤を、約５０ｐｐｍ〜約３５００ｐｐｍ、好ましくは約５０ｐｐｍ〜約５００ｐｐｍの量で含有することができる。
【００５８】
組成物中に存在する起泡力増進界面活性剤の量は、組成物中のカチオン性活性剤の量、組成物中の四級化された糖から誘導された界面活性剤の量、起泡力増進界面活性剤の特性、および組成物の最終用途に関連する。
【００５９】
起泡力増進補助界面活性剤は、（ａ）非イオン性界面活性剤、（ｂ）両性界面活性剤、（ｃ）選択されたアニオン性界面活性剤、（ｄ）カチオン性界面活性剤など、または（ｅ）これらの混合物であってよい。
非イオン性起泡力増進界面活性剤
【００６０】
非イオン性起泡力増進補助界面活性剤の例は、特に限定されないが、アルキルアミンオキシド、アルキルエーテルアミンオキシド、アルキルエーテルジアミン、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステルを含む。
【００６１】
この抗菌性組成物は、洗剤量の非イオン性界面活性剤または非イオン性界面活性剤の混合物を含む、非イオン性界面活性剤成分を含有することができる。典型的には、非イオン性界面活性剤は、長鎖アルキル基またはアルキル化アリール基等の疎水性領域、およびエトキシおよび／または他の親水性残基を含む親水性基を有する。本明細書において定義される場合、「非イオン性起泡力増進補助界面活性剤」は、６〜１８個の炭素原子を含有するアルキル基を有する疎水性領域、および平均１〜約２０個のエトキシおよび／またはプロポキシ残基を有する。非イオン性起泡力増進補助界面活性剤の例は、特に限定されないが、アルキルアミンオキシド、アルキルエーテルアミンオキシド、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステル、およびこれらの混合物を含む。
【００６２】
多数の他の非イオン性界面活性剤が、ＭｃＣｕｔｃｈｅｏｎ  Ｄｉｖｉｓｉｏｎ，  ＭＣ  Ｐｕｂｌｉｓｈｉｎｇ  Ｃｏ．，  Ｇｌｅｎ  Ｒｏｃｋ，  Ｎ．Ｊ．により発行されたＭｃＣｕｔｃｈｅｏｎ’ｓ  Ｄｅｔｅｒｇｅｎｔｓ  ａｎｄ  Ｅｍｕｌｓｉｆｉｅｒｓ，  １９９３  Ａｎｎｕａｌｓ，  １−２４６頁および２６６−２７３頁に；ＣＴＦＡ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ，  Ｆｏｕｒｔｈ  Ｅｄ．，  Ｃｏｓｍｅｔｉｃ，  Ｔｏｉｌｅｔｒｙ  ａｎｄ  Ｆｒａｇｒａｎｃｅ  Ａｓｓｏｃｉａｔｉｏｎ，  Ｗａｓｈｉｎｇｔｏｎ，  Ｄ．Ｃ．（１９９１）（本明細書において以降ＣＴＦＡ辞書）  １−６５１頁に；およびＣＴＦＡ  Ｃｏｓｍｅｔｉｃ  Ｉｎｇｒｅｄｉｅｎｔ  Ｈａｎｄｂｏｏｋ，  Ｆｉｒｓｔ  Ｅｄ．，  Ｃｏｓｍｅｔｉｃ，  Ｔｏｉｌｅｔｒｙ  ａｎｄ  Ｆｒａｇｒａｎｃｅ  Ａｓｓｏｃｉａｔｉｏｎ，  Ｗａｓｈｉｎｇｔｏｎ，  Ｄ．Ｃ．（１９８８）（本明細書において以降ＣＴＦＡハンドブック），  ８６−９４頁（それぞれ引用により本明細書中に取り込まれる）に開示されている。
【００６３】
本発明は、実質的にアルキルフェノールエトキシレートを含まない。本明細書において使用される場合、「アルキルフェノールエトキシレートを含まない」または「ＮＰＥを含まない」という用語は、アルキルフェノールエトキシレートまたはフェノール含有化合物を含有しないか、またはこれらが加えられていない、組成物、混合物、または成分をいう。アルキルフェノールエトキシレートまたはアルキルフェノールエトキシレート含有化合物が、組成物、混合物、または成分の混入により存在するなら、これらの量は、当然０．５ｗｔ％未満であろう。別の態様において、この量は、０．１ｗｔ％未満であり、さらに別の態様において、この量は、０．０１ｗｔ％未満である。
両性起泡力増進界面活性剤
【００６４】
抗菌性組成物は、洗剤量の両性界面活性剤または両性界面活性剤の混合物を含む、両性界面活性剤成分を含有することができる。使用することができる好適な両性界面活性剤は、特に限定されないが、イミダゾリンおよびイミダゾリン誘導体、イセチオネート、ベタイン誘導体、アンフォアセテート誘導体、およびこれらの混合物を含む。
アニオン性起泡力増進界面活性剤
【００６５】
抗菌性組成物は、洗剤量のアニオン性界面活性剤またはアニオン性界面活性剤の混合物を含む、アニオン性界面活性剤成分を含有することができる。本発明に使用することができるアニオン性界面活性剤は、クリーニング業において利用できる任意のアニオン性界面活性剤を含む。好適な群のアニオン性界面活性剤は、スルホネートおよびスルフェートを含む。アニオン性界面活性剤成分において提供することができる好適な界面活性剤は、特に限定されないが、サルコシン誘導体、コハク酸誘導体、カルボキシル化アルコール、アルキル硫酸塩およびアルキルエーテル硫酸塩、スルホン酸誘導体、ジフェニルスルホネート誘導体、アルキルアリールスルホン酸誘導体、アルキルポリグルコシドスルホネートまたは硫酸塩、およびこれらの混合物を含む。
カチオン性起泡力増進界面活性剤
【００６６】
抗菌性組成物は、洗剤量のカチオン性界面活性剤またはカチオン性界面活性剤の混合物を含む、カチオン性界面活性剤成分を含有してもよい。抗菌性組成物に使用することができるカチオン性界面活性剤は、特に限定されないが、四級化ポリサッカロイド、アルキルポリサッカロイド、アルコキシル化アミン、アルコキシル化エーテルアミン、リン脂質、リン脂質誘導体、およびこれらの混合物を含む。
Ｄ．担体
【００６７】
本発明の抗菌性組成物の担体は、水または他の好適な希釈剤、プロピレングリコール、グリセロール、アルコールまたはこれらの混合物を含む。当然のことながら、水は、脱イオン水としてまたは軟水として提供されてよい。濃縮液の一部として提供される水は、比較的硬度がないことができる。水は、脱イオンされることにより、溶解固形物の一部を除去できることが期待される。即ち、濃縮液は、溶解固形物を含む水と調合されてよく、そして硬水と特徴付けられる水と調合されてよい。
【００６８】
本発明の抗菌性組成物は、微生物個体数の迅速な減少を提供するために低ｐＨまたは高ｐＨに依存しない。本発明の抗菌性個体数は、約５．０〜約１２．０のｐＨを有する。このｐＨ範囲内で、本発明の組成物は、微生物個体数を有効に減少させ、そして消費者受容性、即ち皮膚に低刺激性であり、相安定性であり、そして大量の安定な泡を発生させる。
Ｅ．追加の機能性材料
【００６９】
本抗菌性組成物は、追加の機能性材料等の追加の成分または試薬を含むことができる。したがって、幾つかの態様において、カチオン性活性成分および第四級糖から誘導された界面活性剤を含む抗菌性組成物は、例えば、追加の機能性材料をほとんど含まないかまたは全く含まない態様では、抗菌性組成物の総質量の大部分またはその全てさえ提供し得る。機能性材料は、望ましい性質および機能をその抗菌性組成物に提供する。本出願の目的のためには、「機能性材料」という用語は、水溶液等の使用および／または濃縮溶液に分散または溶解される場合、特定の使用において有益な性質を提供する材料を含む。カチオン性活性成分および四級化された糖から誘導された界面活性剤を含有する抗菌性組成物は、任意に他の殺菌剤、消毒剤、染料、増粘剤またはゲル化剤、および香水を含有してもよい。機能性材料の幾つかの具体例は、以下にさらに詳細に記載されるが、当業者には当然のことながら、記載される具体的な材料が、ほんの一例として与えられ、そして幅広い他の機能性材料が使用されてもよいことが理解されるであろう。例えば、後述の機能性材料の多くは、殺菌および／またはクリーニング用途に使用される材料に関するが、当然のことながら、他の態様は他の用途において使用するための機能性材料を含むことができる。
染料および香料
【００７０】
本発明の化学剤と適合性のある種々の染料、香水を含む着臭剤、および他の美的増強剤もまた、抗菌性組成物に含まれてよい。組成物に含まれてよい香料または香水は、例えば、シトロネロール等のテルペノイド、アミルシンナムアルデヒド等のアルデヒド、Ｃ１Ｓ−ジャスミンまたはジャスマル（ｊａｓｍａｌ）等のジャスミン、バニリンなどを含む。
錯化剤−キレート剤および金属イオン封鎖剤
【００７１】
幾つかの態様において、抗菌性組成物は、場合により錯化剤を含むことができる。錯化剤は、水質調整および土壌からの二価イオンの除去に寄与する。錯化剤は、無機錯化剤、有機錯化剤、およびこれらの混合物を含むことができる。無機錯化剤は、特に限定されないが、ピロリン酸ナトリウム、及びトリポリリン酸ナトリウム等の化合物を含む。有機錯化剤は、特に限定されないが、高分子と低分子の両方の錯化剤を含む。低分子有機錯化剤は、エチレンジアミン四酢酸（ＥＤＴＡ）およびヒドロキシエチレンジアミン四酢酸（ＨＥＤＴＡ）、ジエチレントリアミン五酢酸（ＤＴＰＡ）、ニトリロ三酢酸（ＮＴＡ）、メチルグリシン二酢酸（ＭＧＤＡ）、グルタミン酸−Ｎ，Ｎ−二酢酸、エチレンジアミンコハク酸（ＥＤＤＳ）、２−ヒドロキシエチルイミノ二酢酸（ＨＥＩＤＡ）、イミノジコハク酸（ＩＤＳ）、３−ヒドロキシ−２，２’−イミノジコハク酸（ＨＩＤＳ）、ヒドロキシメチルイミノジアセテート（ＨＩＤＡ）、エチレンジアミンテトラプロピオンネート、トリエチレンテトラミンヘキサアセテートの酸または塩等のアミノカルボキシレート、およびこれらのそれぞれアルカリ金属、アンモニウムおよび置換アンモニウム塩を含む。ホスホネートもまた、本発明の組成物中の錯化剤としての使用に好適であり、これらは、特に限定されないが、エチレンジアミンテトラ（メチレンホスホネート）、ニトリロトリスメチレンホスホネート、ジエチレントリアミンペンタ（メチレンホスホネート）、ヒドロキシエチリデンジホスホネート（ＨＥＤＰ）、イソプロピルメチルホスホン酸（ＩＭＰＡ）および２−ホスホノブタン−１，２，４−トリカルボン酸（ＰＢＴＣ）を含む。
補助剤
【００７２】
本発明の組成物はまた、任意の数の補助剤を含むことができる。１つの態様において、補助剤は、組成物の約０ｗｔ％〜約４０ｗｔ％、好ましくは約０．２ｗｔ％〜約２０ｗｔ％の量で存在する。具体的には、抗菌性組成物は、組成物に加えることができる任意の数の他の成分の中で、溶媒および浸透剤、グリセリン、ソルビトール、エステル、ポリクアット（ｐｏｌｙｑｕａｔｓ）、グリコール、保存料、キレート剤、ｐＨ添加剤、顔料または染料を含むことができる。このような補助剤は、本発明の組成物と前もって調合することができるか、または本発明の組成物の添加と同時に、またはその後でさえこの系に加えることができる。抗菌性組成物はまた、用途（これは公知であり、かつ本発明の活性を促進することができる）により必要とされる任意の数の他の成分を含有することができる。
本発明の態様
【００７３】
本発明の抗菌性組成物は、高度に広範な抗菌効果、高い起泡力および哺乳動物組織に対する減少した刺激を有する。典型的組成物は、以下の表に提供される。
抗菌性硬表面クリーナー
【表１】
0005932802.tif 000004
【表２】
0005932802.tif 000005
【表３】
0005932802.tif 000006
【表４】
0005932802.tif 000007
【表５】
0005932802.tif 000008
【表６】
0005932802.tif 000009
【００７４】
本発明の濃縮組成物は、固体、液体、またはゲル、またはこれらの組合せとして提供することができる。１つの態様において、このクリーニング組成物は、クリーニング組成物が水または他の好適な希釈剤を実質的に全く加えられない濃縮液として提供されてもよいか、またはこの濃縮液は、微量の水または他の好適な希釈剤を含有してもよい。この濃縮液は、少しの水または他の好適な希釈剤もなしに調合できるか、またはこの濃縮液を輸送する経費を削減するために比較的少量の水または他の好適な希釈剤と共に提供できる。例えば、この組成物の濃縮液は、水溶性材料により封じ込められたかまたは封じ込められていない、圧縮粉末、固体、または遊離した粉末のカプセルまたはペレットとして提供できる。ある材料中の組成物のカプセルまたはペレットを提供する場合には、このカプセルまたはペレットは、ある体積の水または他の好適な希釈剤中に導入され、存在するならば、この水溶性材料は、組成物の濃縮液を水と接触させるように可溶化、分解、または分散させることができる。本開示の目的において、「カプセル」および「ペレット」という用語は、例示目的で使用され、本発明の供給方式を特定の形状に限定するものではない。
【００７５】
液体濃縮組成物として提供される場合、この濃縮液は、吸引器、蠕動ポンプ、ギアポンプ、質量流量計などを用いる分配装置を介して希釈できる。この液体濃縮液の態様はまた、瓶、ジャー、投薬瓶、投薬キャップ付き瓶などに入れて供給できる。液体濃縮組成物は、多室型カートリッジインサートに充填し、次に、前もって測定された量の水または他の好適な希釈剤で満たされたスプレー瓶または他の供給装置に入れることができる。
【００７６】
さらに別の態様において、この濃縮組成物は、容器に入れられるまで、崩れまたは他の劣化に抵抗する固体形態で提供できる。このような容器は、組成物の濃縮液を容器に入れる前に、水または他の好適な希釈剤で満たされていても、あるいは組成物の濃縮液が容器に入れられた後に、水または他の好適な希釈剤で満たされてもよい。いずれにしても、この固体濃縮組成物は、水または他の好適な希釈剤との接触により溶解、可溶化、またはそうでなければ崩れる。特定の態様において、この固体濃縮組成物は、急速に溶解するため、濃縮組成物を使用組成物にすることができ、さらに最終使用者がクリーニングの必要な表面に使用組成物を適用することを可能にする。クリーニング組成物が固体として提供される場合、本明細書に提供される組成物は、当該分野において既知の任意の手段によりクリーニング組成物を固化する方法で変化させてよい。例えば、水または他の好適な希釈剤の量は減少させてもよいか、または凝固剤等の追加の成分が、このクリーニング組成物に加えられてもよい。
【００７７】
別の態様において、固体濃縮組成物は、水または他の好適な希釈剤が固体ブロックに噴霧されて使用溶液を形成するディスペンス装置を介して希釈できる。希釈流は、比較的一定速度で、機械的、電気的、または水圧式制御などを用いて供給される。固体濃縮組成物はまた、希釈剤が固体ブロックの周りを流れる分配装置を介して希釈されて、固体濃縮液が溶解する場合使用溶液を生じさせることができる。固体濃縮組成物はまた、ペレット、錠剤、粉末およびペーストディスペンサーなどを介して希釈できる。
【００７８】
この濃縮液は、水または他の好適な希釈剤を用いて希釈されて、所望のレベルの洗剤特性を有する使用溶液を提供することが予測される。しつこい汚れまたは大量の汚れを除去するために使用溶液が必要とされる場合、濃縮液は、少なくとも１：１から１：３２または１：６４までの質量比で、希釈水を用いて希釈できることが予測される。軽い負荷のクリーニング使用溶液が望まれる場合、濃縮液は、約１：２５６までの希釈の濃縮液対水の質量比で希釈できる。
【００７９】
液体形状の濃縮液は、液体濃縮液を使用溶液に容易に転化させることができるように、充分な適合性のある希釈剤を含有することができる。これは、低容量ディスペンス、または濃縮液の粘度、さらには希釈剤への分散および混合等の希釈変数を克服するためであることができる。この濃縮液が液体として提供される場合、ポンプで供給されるか吸引されることができるように、これを流動性ある形態で提供することが望ましい。一般に少量の液体を正確にポンプで供給することは困難であることが見出された。一般には大量の液体をポンプで供給することがより有効である。したがって、輸送コストを下げるためにはできるだけ希釈の少ない濃縮液を提供することが望まれるが、また正確に分配できる濃縮液を提供することも望まれる。液体濃縮液の場合に、希釈剤は、最大約９０ｗｔ％の、特に約２０ｗｔ％〜約８５ｗｔ％の、さらには約３０ｗｔ％〜約８０ｗｔの、そして最も詳しくは約５０ｗｔ％〜約８０ｗｔ％の量で存在することが予測される。
【００８０】
本発明の組成物は、種々の硬表面をクリーニングするのに有用である。硬表面は、特に限定されないが、陶磁器、セラミックタイル、グラウト、花崗岩、コンクリート、鏡、ほうろう表面、金属（アルミニウム、真鍮、ステンレスを含む）などを含む。したがって本発明の組成物は、施釉タイル、グラウト、磁器、ステンレス、真鍮、仕上げ木材および塗装表面、ポリマー表面、ガラスおよびプラスチック用の、教育施設、保健施設などにおける硬表面の消毒および殺菌に使用するための硬表面抗菌性の殺菌剤または消毒剤を調合するのに有用である。
【実施例】
【００８１】
本発明は、さらに詳しくは以下の実施例に記述されるが、これは本発明の範囲内で多数の改変および変法が当業者には明らかであるため、例示のみが目的とされる。特に別の指定がなければ、以下の実施例に報告される全ての部、百分率、および比は、質量に基づき、実施例に使用される全ての試薬は、後述の化学薬品供給業者から得られたか、または入手可能であるか、あるいは従来法により合成されてもよい。
後述の態様において使用される材料は、特に限定されないが、ステアリルジモニウム−ヒドロキシプロピルラウリルグルコシドクロリド、ココグルコシドヒドロキシプロピル−トリモニウムクロリド、ラウリルグルコシドヒドロキシプロピル−トリモニウムクロリド、ポリ（ラウリルジモニウム−ヒドロキシプロピルデシルグルコシドクロリド）、ポリ（ステアリルジモニウム−ヒドロキシプロピルデシルグルコシドクロリド）、ポリ（ステアリルジモニウム−ヒドロキシプロピルラウリルグルコシドクロリド）、ポリ（トリモニウム−ヒドロキシプロピルココグルコシドクロリド）を含む。
【００８２】
以下の方法は、実施例の調製および試験において使用された。
抗微生物効果および微生物効果：
（１）時間殺菌活性の測定：
（ａ）抗菌性組成物の活性は、抗菌性試験組成物に曝露された接種生物の生存が時間の関数として阻まれる時間殺菌法［ＡＳＴＭ  Ｅ  ２３１５  Ｓｔａｎｄａｒｄ  Ｇｕｉｄｅ  ｆｏｒ  Ａｓｓｅｓｓｍｅｎｔ  ｏｆ  Ａｎｔｉｍｉｃｒｏｂｉａｌ  Ａｃｔｉｖｉｔｙ  Ｕｓｉｎｇ  ａ  Ｔｉｍｅ  Ｋｉｌｌ  Ｐｒｏｃｅｄｕｒｅ］により測定された。本試験において、組成物の希釈されたアリコートは、既知個体数の試験細菌と特定の温度で特定の時間接触させる。試験組成物は、この期間の最後に中和され、これが組成物の抗菌活性を停止させる。最初の細菌個体数からのパーセント、あるいは対数減少値が算出される。一般に、時間殺菌法は、当業者には知られている。さらに、代表的な系の起泡力プロフィールに関する比較データが示される。
（ｂ）本組成物は、０．０１〜１００％の任意の濃度で試験できる。どの濃度を使用するかの選択は研究者の裁量により、そして好適な濃度は当業者には容易に測定される。三重測定で実施される場合、全ての試験において、結果は合せられ、そして平均対数減少値が報告される。
（ｃ）接触時間の選択もまた研究者の裁量による。任意の接触時間を選択することができる。典型的な接触時間は、１５秒間〜５分間の範囲であり、３０秒間および１分間が典型的な接触時間である。接触温度もまた任意の温度であってよく、典型的には室温または摂氏約２５度である。
（ｄ）微生物懸濁液、または試験接種材料は、微生物培養物を任意の適切な固体培地（例えば寒天）上で増殖させることにより調製される。微生物個体数は、次に滅菌生理食塩水を用いて寒天から洗浄され、そして微生物懸濁液の個体数は、１ｍｌ当たり約１０８コロニー形成単位（ｃｆｕ／ｍｌ）に調整される。
（ｅ）以下の表は、以下の試験において使用される試験微生物培養物をリストし、そして細菌の名称、ＡＴＣＣ（アメリカンタイプカルチャーコレクション）同定番号、および本明細書に以降使用される生物の名称の略語を含む。
【表７】
0005932802.tif 000010
黄色ブドウ球菌（Ｓ．  ａｕｒｅｕｓ）はグラム陽性細菌であり、一方大腸菌（Ｅ．ｃｏｌｉ）はグラム陰性細菌である。
【００８３】
対数減少値は、下記式を用いて算出される：
対数減少値＝ｌｏｇ１０（対照数）−ｌｏｇ１０（試料生存数）。
以下の表は、微生物個体数の減少パーセントを対数減少値に関連付ける。
【表８】
0005932802.tif 000011
（２）ＡＯＡＣ殺菌噴霧試験による殺菌力の測定：
（ａ）殺菌力の測定は、ＡＯＡＣ  ９６１．２  Ｇｅｒｍｉｃｉｄａｌ  Ｓｐｒａｙ  Ｐｒｏｄｕｃｔｓ  ａｓ  Ｄｉｓｉｎｆｅｃｔａｎｔｓ  ｔｅｓｔを用いて評価された。細菌の培養物は、乾燥させて、幾つかの清潔で無菌のガラス表面（例えば、顕微鏡スライド）上へ移した。この培養物は、試験表面への適用の前に、有機土を用いて改質させてもさせなくともよい。
（ｂ）乾燥して汚染された試験表面は、二次的容器（例えば、ペトリ皿）に入れられ、個々に試験品を噴霧された。１０枚または６０枚の汚染された表面は、殺菌試験品を用いて処理されてもよい。
（ｃ）汚染された試験表面は、この殺菌剤に特定の接触時間曝露させた。
（ｄ）接触時間に続き、処理試験表面は、適切な中和剤を含有する増殖培地を含有する滅菌試験管に個別に移された。
（ｅ）処理試験表面は、中和培地中で４８時間インキュベートされた。
（ｆ）標的生物の増殖を示す試験管の数は、インキュベーション後に増殖を示さなかったものと比較して記録された。
泡の高さの測定
【００８４】
泡の高さは、以下の操作工程により測定された：
１．製品の１％溶液を５グレインの水中に調製する。
２．１５０ｍＬのこの溶液をブレンダーに注ぎ入れる。
３．中程度の速度で１０秒間混合する。
４．１０００ｍＬビーカーに注ぎ入れて泡の高さを測定する。
５．３分および５分の時点で泡の高さを測定する。
泡安定性の測定
【００８５】
泡安定性は、１％溶液を１０００ｍＬビーカーに注ぎ入れた５分後に、泡／空気界面と泡／水界面との差を使用して測定された。
インビトロ刺激性の測定
【００８６】
インビトロ刺激性は、外部試験施設によりＭａｔｅｋ  Ｃｏｒｐｏｒａｔｉｏｎの「ＥｐｉＤｅｒｍ  ＭＴＴ  ＥＴ−５０  Ｐｒｏｔｏｃｏｌ（ＥＰＩ−２００）」を用いて評価された。
【００８７】
この試験は、希釈していない試験化学剤の再構成ヒト表皮（ＲｈＥ）モデルへの局所曝露と、これに続く細胞生存試験からなる。細胞生存率は、細胞のミトコンドリアに存在するＭＴＴ［（３−４，５−ジメチルチアゾール−２−イル）２，５−ジフェニルテトラゾリウムブロミド］の、組織からの抽出後に定量的に測定される青色ホルマザン塩へのデヒドロゲナーゼ変換により測定される。陰性対照（水を用いて処理）と比較した化学剤に曝露された組織の生存率の減少は、皮膚刺激可能性を予測するために使用される。
【００８８】
表皮（ＥｐｉＤｅｒｍ）組織は、輸送ストレス関連化合物および残屑を放出するように一晩インキュベーションにより調整される。プレインキュベーション後、組織は、試験化学剤に６０分間局所曝露される。好ましくは、１種の試験化学剤（ＴＣ）当たりおよび陽性対照（ＰＣ）および陰性対照（ＮＣ）のために３つの組織が使用される。次に組織は、完全に濯がれ、試験物質を除去するためにブロットされて、新鮮培地に移される。組織は４２時間インキュベートされる。その後、ＭＴＴ培地（１ｍｇ／ｍＬ）を含有する２４ウェルプレートに組織を移すことによりＭＴＴアッセイが実行される。３時間のＭＴＴインキュベーション後、細胞内ミトコンドリアにより形成される青色ホルマザン塩は、２．０ｍＬ／組織のイソプロパノールを用いて抽出され、抽出ホルマザンの光学密度は、５７０ｎｍで分光光度計を使用して測定される。相対細胞生存率は、各組織に関して陰性対照組織の平均の％に対して算出される。試験材料の皮膚刺激可能性は、残存相対細胞生存率が５０％を下回るならば予測される。
【００８９】
以下の図は、種々のカチオン性活性成分、第四級糖から誘導された界面活性剤および任意の起泡力増進界面活性剤を用いる、本発明の抗菌性組成物の効果のデータを示す。
【００９０】
表７および図１（カチオン性活性成分の対数減少値）：表７および図１は、代表的界面活性剤系における３種の異なるカチオン性活性成分、具体的には、０．５％のＱｕａｔ（塩化ベンザルコニウム）、２％のＣＨＧ（グルコン酸クロルヘキシジン）、および１％のＰＨＭＢ（ポリヘキサメチレンビグアニド）の３０秒の曝露時間後の効果を示す。
【００９１】
表７は、試験される３種のカチオン性活性成分系の調合を説明する。第四級糖から誘導された界面活性剤および起泡力増進界面活性剤の両方は、一定に保持され、カチオン性活性成分のみを実施した３つの試験の間で変化させた。結果は、図１に具体的に示される。
【表９】
0005932802.tif 000012
【００９２】
図１に示されるとおり、３種全てのカチオン性活性成分は、３０秒の曝露時間内で黄色ブドウ球菌（Ｓ．ａｕｒｅｕｓ）および大腸菌（Ｅ．ｃｏｌｉ）に対する高い殺菌力を有していた。
【００９３】
表８および図２（第四級糖から誘導された界面活性剤の対数減少値）：次に、出願人らは、第四級糖から誘導された界面活性剤、具体的には、ポリ（トリモニウムヒドロキシプロピルココグルコシドクロリド）の濃度の増大に伴う、黄色ブドウ球菌（Ｓ．ａｕｒｅｕｓ）および大腸菌（Ｅ．ｃｏｌｉ）に対する３０秒暴露の効果を試験した。カチオン性活性成分（０．５％のＡＤＢＡＣ  Ｑｕａｔ）および起泡力増進界面活性剤（１．９５％のアルキルジメチルアミンオキシド）の量およびタイプは、一定に保持された。下記の表８は、本試験の定量的結果を説明し、そして図２は、グラフで結果を具体的に説明する。
【表１０】
0005932802.tif 000013
【００９４】
表８および図２が示すように、第四級糖から誘導された界面活性剤は、わずか３０秒間の曝露後に黄色ブドウ球菌（Ｓ．ａｕｒｅｕｓ）および大腸菌（Ｅ．ｃｏｌｉ）に対する高い殺菌力を有する。また、細菌に対する第四級糖から誘導された界面活性剤の耐性が示される。さらに、第四級糖から誘導された界面活性剤の濃度の増大は、第四級糖から誘導された界面活性剤：カチオン性活性成分の１：４の比まで、顕著で予想外に高い細菌の対数減少値を維持することが明らかに示される。
【００９５】
表９および図３（起泡力増進界面活性剤の対数減少値）：表９および図３は、起泡力増進界面活性剤、具体的には、アミンオキシドの濃度の増大に伴う効果を説明する。カチオン性活性成分（０．５％のＡＤＢＡＣ  Ｑｕａｔ）および第四級糖から誘導された界面活性剤（１．２５％のポリトリモニウムヒドロキシプロピルココグルコシドクロリド）の量およびタイプは、一定に保持された。下記の表９は、本試験の定量的結果を示し、そして図３は、グラフで結果を具体的に示す。
【表１１】
0005932802.tif 000014
【００９６】
表９および図３が示すように、起泡力増進界面活性剤は、わずか３０秒間の曝露後に黄色ブドウ球菌（Ｓ．ａｕｒｅｕｓ）および大腸菌（Ｅ．ｃｏｌｉ）に対する高い殺菌力を有する。また、細菌に対する起泡力増進界面活性剤の耐性が示される。さらに、広範囲の起泡力増進界面活性剤は、顕著な細菌の対数減少値を維持することが明らかに示される。
【００９７】
表１０（第四級糖から誘導された界面活性剤およびアルキルジメチルアミンオキシドと組合せたカチオン性活性剤の効果）：出願人らは、１．２５％で一定に保持された種々の第四級糖から誘導された界面活性剤を用いて、黄色ブドウ球菌（Ｓ．ａｕｒｅｕｓ）および大腸菌（Ｅ．ｃｏｌｉ）に対する効果を試験した。カチオン性活性成分（０．５％のＡＤＢＡＣ  Ｑｕａｔ）および起泡力増進界面活性剤（１．９５％のアルキルジメチルアミンオキシド）の量およびタイプは、一定に保持された。
【表１２】
0005932802.tif 000015
【００９８】
表１０が示すように、四級化された糖から誘導された界面活性剤およびポリ四級化された糖から誘導された界面活性剤の両方で、黄色ブドウ球菌（Ｓ．ａｕｒｅｕｓ）および大腸菌（Ｅ．ｃｏｌｉ）に対する顕著な対数減少値が維持される。第四級糖界面活性剤の鎖長は、変更されてもよく、それでもまだ高い効果を維持する。
【００９９】
表１１、１２および１３（硬表面試験に使用される調合）：以下の表１１〜１３は、泡体積および抗菌効果の比較を実施した試験に使用された試験調合を示す。
【表１３】
0005932802.tif 000016
【表１４】
0005932802.tif 000017
【表１５】
0005932802.tif 000018
【０１００】
図４および５（硬表面用途のための比較泡体積）：泡体積は、中性殺菌クリーナーおよびタブおよびタイルクリーナーについて試験された。図４および５から明らかように、起泡力増進界面活性剤の代わりに四級化された糖から誘導された界面活性剤を添加すると、より大きな泡体積を生じた。明らかに、本発明の調合は、既存の化学剤よりも大量の泡を生成させる。
【０１０１】
表１４および１５（重要な生物の対数減少値）：大腸菌（Ｅ．ｃｏｌｉ）およびリステリア菌（Ｌ．ｍｏｎｏｃｙｔｏｇｅｎｅｓ）は、２種の重要な環境病原菌である。両方とも広い医学的意味を持つ急性腸管感染症の原因になることが知られている。両方の菌は、環境汚染物であり、製造中に食品に移行できる。表１４および１５に含まれるデータは、短時間の曝露であってもこれらの環境生物を制御することにおける、カチオン性活性剤および四級化された糖から誘導された界面活性剤を含有する組成物の有用性を例示する。
【０１０２】
表１４は、図６に対応しており、硬表面殺菌用の使用溶液の使用範囲における重要な生物の対数減少値を示す（３０秒間曝露）。
【表１６】
0005932802.tif 000019
【０１０３】
表１５は、上記の殺菌噴霧（Ｇｅｒｍｉｃｉｄａｌ  Ｓｐｒａｙ）試験により試験された、大腸菌（Ｅ．ｃｏｌｉ）およびリステリア菌（Ｌ．ｍｏｎｏｃｙｔｏｇｅｎｅｓ）について、１０分間曝露の重要な調合の効果を示す。調合は、使用溶液の使用範囲の限界で試験された。
【表１７】
0005932802.tif 000020
【０１０４】
図６（硬表面適用の抗菌効果）：カチオン性活性剤および四級化された糖から誘導された界面活性剤を含有する硬表面化学剤の効果は、重要な生物に対して試験された。図６が明らかに示すように、本発明に開示される硬表面化学剤は、３０秒間というわずかな曝露時間で重要な生物に対して有効である。
【０１０５】
表１６および図７および８：減少した組織刺激可能性を示す抗菌性組成物は、市場で特に有用である。皮膚適合性で有効な製品は、使用頻度が上昇し、それにより良い衛生状態を促進して、作業者に対する悪影響を減らす。さらに、強化された皮膚適合性は、作業者の安全性向上および皮膚の完全性による作業者の健康増進につながり、さらに手指の消毒図におけるクリーニング手続きガイドライン順守の改善につながる。後述の表１６は、ＭＴ−５０値、即ち、対照と比較した実験調合の低刺激性インデックス（Ｍｉｌｄｎｅｓｓ  Ｉｎｄｅｘ）の上昇により示される、本発明の分野における皮膚適合性の上昇を明らかに示している。
【表１８】
0005932802.tif 000021
【０１０６】
これらの結果は、皮膚刺激を減少させ、かつ／またはこれらの殺菌剤調合の皮膚適合性を大きく上昇させる、この新規なアプローチの相互作用の影響を明らかに示しており、この化学剤を刺激性から非刺激性のカテゴリーへと移動させる。図７は、四級化された糖から誘導された界面活性剤がカチオン性活性成分と組合せて使用される場合の、中性殺菌剤の改善された皮膚適合性を示す。図８は、四級化された糖から誘導された界面活性剤がカチオン性活性成分と組合せて使用される場合の、タブおよびタイル殺菌剤の改善された皮膚適合性を示す。
【０１０７】
明らかに、本明細書に前記された本発明の多くの改変と変更は、本発明の精神と範囲を逸脱することなく行うことができるため、添付の請求の範囲により示されるようなそうした限定のみが、課されることが好ましい。
（態様）
（態様１）
（ａ）カチオン性活性成分と、
（ｂ）四級化された糖から誘導された界面活性剤と、
（ｃ）水または他の好適な希釈剤と、
を含んで成る、抗菌性硬表面クリーナー組成物。
（態様２）
該組成物が、約０．５ｗｔ％〜約２０ｗｔ％のカチオン性活性成分を含む、態様１に記載の組成物。
（態様３）
該組成物が、約５０ｐｐｍ〜約５、０００ｐｐｍのカチオン性活性成分を含む、態様１に記載の組成物。
（態様４）
該カチオン性活性成分が、ビグアニドの塩、置換ビグアニド誘導体、第四級アンモニウム含有化合物の有機塩または第四級アンモニウム含有化合物の無機塩からなる群から選択される、態様１に記載の組成物。
（態様５）
該組成物が、約０．２ｗｔ％〜約５０ｗｔ％の四級化された糖から誘導された界面活性剤を含む、態様１に記載の組成物。
（態様６）
該組成物が、約５０ｐｐｍ〜約２、５００ｐｐｍの四級化された糖から誘導された界面活性剤を含む、態様１に記載の組成物。
（態様７）
該四級化された糖から誘導された界面活性剤が、四級化アルキルポリグルコシドまたはポリ四級化アルキルポリグルコシドである、態様１に記載の組成物。
（態様８）
該組成物が、起泡力増進界面活性剤をさらに含む、態様１に記載の組成物。
（態様９）
該組成物が、約１８ｗｔ％までの起泡力増進界面活性剤を含む、態様８に記載の組成物。
（態様１０）
該組成物が、約３、５００ｐｐｍまでの起泡力増進界面活性剤を含む、態様８に記載の組成物。
（態様１１）
該起泡力増進界面活性剤が、非イオン性界面活性剤、両性界面活性剤、アニオン性界面活性剤、またはカチオン性界面活性剤からなる群から選択される、態様８に記載の組成物。
（態様１２）
該非イオン性界面活性剤が、アルキルアミンオキシド、アルキルエーテルアミンオキシド、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステルを含む、態様１１に記載の組成物。
（態様１３）
該両性界面活性剤が、イミダゾリンおよびイミダゾリン誘導体、イセチオネート、ベタイン誘導体、またはアンフォアセテート誘導体を含む、態様１１に記載の組成物。
（態様１４）
該アニオン性界面活性剤が、サルコシン誘導体、コハク酸誘導体、カルボキシル化アルコール、アルキル硫酸塩およびアルキルエーテル硫酸塩、スルホン酸誘導体またはジフェニルスルホネート誘導体またはアルキルアリールスルホン酸誘導体を含む、態様１１に記載の組成物。
（態様１５）
該カチオン性界面活性剤が、四級化ポリサッカロイド、アルキルポリサッカロイド、アルコキシル化アミン、アルコキシル化エーテルアミン、リン脂質およびリン脂質誘導体を含む、態様１１に記載の組成物。
（態様１６）
該組成物が、水または他の好適な希釈剤を用いて希釈されて、使用溶液を生成する、態様１に記載の組成物。
（態様１７）
該組成物が、約７．０〜約１２．０のｐＨ範囲を有する、態様１に記載の組成物。
（態様１８）
該組成物が、約４０ｗｔ％までのキレート剤およびｐＨ添加物等の補助剤をさらに含む、態様１に記載の組成物。
（態様１９）
該組成物が、約５０ｐｐｍ〜約１０、０００ｐｐｍのキレート剤およびｐＨ添加物等の補助剤をさらに含む、態様１に記載の組成物。
（態様２０）
該組成物が、高殺生活性を示す、態様１に記載の組成物。
（態様２１）
該組成物が、大量の泡および泡安定性を提供する、態様１に記載の組成物。
（態様２２）
該組成物が、減少した組織刺激可能性を示す、態様１に記載の組成物。
（態様２３）
該組成物が、トリクロサン（２、４、４’’−トリクロロ−２’’−ヒドロキシ−ジフェニルエーテル）を含まない、態様１に記載の組成物。
（態様２４）
カチオン性活性成分：四級化された糖界面活性剤：起泡力増進界面活性剤の相対的質量比が、約１：０．２：０．２〜約１：３：８である、態様１に記載の組成物。
（態様２５）
硬表面から汚れを除去する方法であって、
（ａ）水または他の好適な希釈剤を用いて態様１の組成物を希釈して、使用溶液を生成させる工程と、
（ｂ）該表面と、該使用溶液とを接触させる工程と、
を含んで成る、方法。
（態様２６）
硬表面上の細菌の個体数、微生物の個体数、殺菌性個体数またはウイルスの個体数を減少させる方法であって、
（ａ）水または他の好適な希釈剤を用いて態様１の組成物を希釈して、使用溶液を生成させる工程と、
（ｂ）該硬表面と使用溶液とを充分な時間接触させて、実質的な、細菌の減少、微生物の減少、殺菌性の減少またはウイルスの減少を提供する工程と、
を含んで成る、方法。
（態様２７）
硬表面上の細菌の個体数、微生物の個体数、殺菌性個体数またはウイルスの個体数を減少させる方法であって、
該方法が、該硬表面と抗菌性組成物とを充分な時間接触させることにより、実質的な、バクテリアの減少、微生物の減少、殺菌性の減少またはウイルスの減少を提供する工程を含み、
該抗菌性組成物が、
（ａ）カチオン性活性成分と、
（ｂ）四級化された糖から誘導された界面活性剤と、
（ｃ）水または他の好適な希釈剤と、
を含んで成る、方法。
（態様２８）
該組成物が、約０．５ｗｔ％〜約２０ｗｔ％のカチオン性活性成分を含む、態様２７に記載の方法。
（態様２９）
該組成物が、約５０ｐｐｍ〜約５０００ｐｐｍのカチオン性活性成分を含む、態様２７に記載の方法。
（態様３０）
該カチオン性活性成分が、ビグアニドの塩、置換ビグアニド誘導体、第四級アンモニウム含有化合物の有機塩または第四級アンモニウム含有化合物の無機塩からなる群から選択される、態様２７に記載の方法。
（態様３１）
該組成物が、約０．２ｗｔ％〜約５０ｗｔ％の四級化された糖から誘導された界面活性剤を含む、態様２７に記載の方法。
（態様３２）
該組成物が、約５０ｐｐｍ〜約２５００ｐｐｍの四級化された糖から誘導された界面活性剤を含む、態様２７に記載の方法。
（態様３３）
該四級化された糖から誘導された界面活性剤が、四級化アルキルポリグルコシドまたはポリ四級化アルキルポリグルコシドである、態様２７に記載の方法。
（態様３４）
該組成物が、起泡力増進界面活性剤をさらに含む、態様２７に記載の方法。
（態様３５）
該組成物が、約０．２ｗｔ％〜約１８ｗｔ％の起泡力増進界面活性剤を含む、態様３４に記載の起泡力増進界面活性剤。
（態様３６）
該組成物が、約０ｐｐｍ〜約３、５００ｐｐｍの起泡力増進界面活性剤を含む、態様３４に記載の起泡力増進界面活性剤。
（態様３７）
該起泡力増進界面活性剤が、非イオン性界面活性剤、両性界面活性剤、アニオン性界面活性剤、またはカチオン性界面活性剤からなる群から選択される、態様３４に記載の起泡力増進界面活性剤。
（態様３８）
該非イオン性界面活性剤が、アルキルアミンオキシド、アルキルエーテルアミンオキシド、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステルを含む、態様３７に記載の起泡力増進界面活性剤。
（態様３９）
該両性界面活性剤が、イミダゾリンおよびイミダゾリン誘導体、イセチオネート、ベタイン誘導体、またはアンフォアセテート誘導体を含む、態様３７に記載の起泡力増進界面活性剤。
（態様４０）
該アニオン性界面活性剤が、サルコシン誘導体、コハク酸誘導体、カルボキシル化アルコール、アルキル硫酸塩およびアルキルエーテル硫酸塩、スルホン酸誘導体またはジフェニルスルホネート誘導体またはアルキルアリールスルホン酸誘導体を含む、態様３７に記載の起泡力増進界面活性剤。
（態様４１）
該カチオン性界面活性剤が、四級化ポリサッカロイド、アルキルポリサッカロイド、アルコキシル化アミン、アルコキシル化エーテルアミン、リン脂質およびリン脂質誘導体を含む、態様３７に記載の起泡力増進界面活性剤。
（態様４２）
該組成物が、水または他の好適な希釈剤を用いて希釈されて、使用溶液を生成する、態様２７に記載の方法。
（態様４３）
該組成物が、約６．０〜約１２．０のｐＨ範囲を有する、態様２７に記載の方法。
（態様４４）
該組成物が、約４０ｗｔ％までのキレート剤およびｐＨ添加物等の補助剤をさらに含む、態様２７に記載の方法。
（態様４５）
該組成物が、約５０ｐｐｍ〜約１０、０００ｐｐｍのキレート剤およびｐＨ添加物等の補助剤をさらに含む、態様２７に記載の方法。
（態様４６）
該組成物が、高殺生活性を示す、態様２７に記載の方法。
（態様４７）
該組成物が、大量の泡および泡安定性を提供する、態様２７に記載の方法。
（態様４８）
該組成物が、減少した組織刺激可能性を示す、態様２７に記載の方法。
（態様４９）
該組成物が、トリクロサン（２、４、４’’−トリクロロ−２’’−ヒドロキシ−ジフェニルエーテル）を含まない、態様２７に記載の方法。
（態様５０）
カチオン性活性成分：四級化された糖界面活性剤：起泡力増進界面活性剤の相対的な質量比が、約１：０．２：０．２〜約１：３：８である、態様２７に記載の方法。
【図１】
0005932802.tif 000023
【図２】
0005932802.tif 000024
【図３】
0005932802.tif 000025
【図４】
0005932802.tif 000026
【図５】
0005932802.tif 000027
【図６】
0005932802.tif 000028
【図７】
0005932802.tif 000029
【図８】
0005932802.tif 000030